(57)【要約】      （修正有）【課題】乳児を楽な態勢に保持する乳児用枕を提供する。【解決手段】クッションに載置する乳児用枕１は、乳児の頭部が配置される中央凹部４と、中央凹部に隣接する首載置部５と、中央凹部の首載置部とは反対側に隣接するとともに首載置部よりも高い頭頂載置部６と、中央凹部の両側に隣接するとともに首載置部側から頭頂載置部側に向けて高くなる一対の側壁部７と、を有する枕本体２を備える。枕本体は、上面側に配置される第一生地１４、下面側に配置される第二生地、及び頭頂載置部及び一対の側壁部の外周側において第一生地と第二生地との間に配置されるマチ部１６を有する袋部１７と、袋部に詰められた詰物と、を有する。【選択図】図１
0003218424.tif 000002
【実用新案登録請求の範囲】
【請求項１】
クッションに載置する乳児用枕であって、
乳児の頭部が配置される中央凹部と、前記中央凹部に隣接する首載置部と、前記中央凹部の前記首載置部とは反対側に隣接するとともに前記首載置部よりも高い頭頂載置部と、前記中央凹部の両側に隣接するとともに前記首載置部側から前記頭頂載置部側に向けて高くなる一対の側壁部と、を有する枕本体を備え、
前記枕本体は、
上面側に配置される第一生地、下面側に配置される第二生地、及び前記頭頂載置部及び前記一対の側壁部の外周側において前記第一生地と前記第二生地との間に配置されるマチ部を有する袋部と、
前記袋部に詰められた詰物と、を有する、
乳児用枕。
【請求項２】
前記一対の側壁部に設けられる前記マチ部は、前記首載置部側から前記頭頂載置部側に向けて拡幅されている、
請求項１に記載の乳児用枕。
【請求項３】
前記マチ部は、前記頭頂載置部から、少なくとも、前記枕本体の側面視において、前記中央凹部の前記首載置部側の先端となる位置まで延びている、
請求項１又は２に記載の乳児用枕。
【請求項４】
前記枕本体に接続されて、面ファスナーが取り付けられた係合ベルトを更に備える、
請求項１〜３の何れか一項に記載の乳児用枕。
【請求項５】
前記第二生地に、前記面ファスナーが係合する着用面が形成されている、
請求項４に記載の乳児用枕。
【請求項６】
クッションと、
前記クッションに載置される、請求項１〜５の何れか一項に記載の乳児用枕と、を備える、乳児用枕セット。
【請求項７】
前記クッションは、Ｃ字状の授乳クッションである、
請求項６に記載の乳児用枕セット。
【請求項８】
前記乳児用枕は、前記枕本体に接続されて、面ファスナーが取り付けられた係合ベルトを有し、
前記クッションは、
上面側に配置される第一クッション生地、及び下面側に配置される第二クッション生地を有するクッション袋部と、
前記クッション袋部に詰められたクッション詰物と、を有し、
前記第二クッション生地に、前記面ファスナーが係合する着用面が形成されている、
請求項６又は７に記載の乳児用枕セット。
【考案の詳細な説明】
【技術分野】
【０００１】
本考案は、乳児用枕及び乳児用枕セットに関する。
【背景技術】
【０００２】
特許文献１には、乳児への授乳に用いられる授乳用クッションが記載されている。この授乳用クッションは、Ｃ字状に形成されており、その両端に、授乳用クッションを授乳者に固定するためのベルト部材が取り付けられている。
【先行技術文献】
【特許文献】
【０００３】
【特許文献１】特開２００５−２４５９２０号公報
【考案の概要】
【考案が解決しようとする課題】
【０００４】
ところで、乳児は、頭が下がっていると、鼻詰まりや吐き戻しをすることがある。このため、特許文献１の図１にも示されているように、授乳者は、乳児が楽な態勢となるように、授乳用クッションを使用していているときも、手や腕で乳児の頭を支えている。しかしながら、手や腕で乳児の頭を支えると、授乳クッションを使用しても、手や腕が疲れやすくなるとともに、手や腕が汗で蒸れやすくなるという問題がある。このような問題は、授乳用クッションを使用している場合に限らず、ボディーピロー等のクッションに乳児を載置する場合にも生じる。
【０００５】
そこで、本考案は、乳児を楽な態勢に保持することができる乳児用枕及び乳児用枕セットを提供することを目的とする。
【課題を解決するための手段】
【０００６】
本考案に係る乳児用枕は、クッションに載置する乳児用枕であって、乳児の頭部が配置される中央凹部と、中央凹部に隣接する首載置部と、中央凹部の首載置部とは反対側に隣接するとともに首載置部よりも高い頭頂載置部と、中央凹部の両側に隣接するとともに首載置部側から頭頂載置部側に向けて高くなる一対の側壁部と、を有する枕本体を備え、枕本体は、上面側に配置される第一生地、下面側に配置される第二生地、及び頭頂載置部及び一対の側壁部の外周側において第一生地と第二生地との間に配置されるマチ部を有する袋部と、袋部に詰められた詰物と、を有する。
【０００７】
この乳児用枕では、乳児の頭を中央凹部に配置すると、乳児の首が首載置部上に配置され、乳児の頭頂部が頭頂載置部上に配置され、乳児の頭が一対の側壁部により左右から支持される。そして、頭頂載置部が首載置部よりも高くなっており、一対の側壁部が首載置部側から頭頂載置部側に向けて高くなっている。これにより、乳児の頭を持ち上げることができるため、乳児を楽な姿勢に保持することができる。
【０００８】
ここで、クッションは断面円形であるため、乳児用枕の載置面となるクッションの上面が、外周端に向かうほど低くなる。しかしながら、詰物が詰められる枕本体の袋部は、頭頂載置部及び一対の側壁部の外周側において第一生地と第二生地との間に配置されるマチ部を有するため、このようなマチ部がない場合に比べて、頭頂載置部及び一対の側壁部を格段に高くすることができる。これにより、乳児用枕をクッションに載置しても、乳児の頭を持ち上げることができるため、乳児を楽な姿勢に保持することができる。
【０００９】
一対の側壁部に設けられるマチ部は、首載置部側から頭頂載置部側に向けて拡幅されていてもよい。この乳児用枕では、一対の側壁部に設けられるマチ部が首載置部側から頭頂載置部側に向けて拡幅されているため、容易に、頭頂載置部を首載置部よりも高くすることができるとともに、一対の側壁部を首載置部側から頭頂載置部側に向けて高くすることができる。
【００１０】
マチ部は、頭頂載置部から、少なくとも、枕本体の側面視において、中央凹部の首載置部側の先端となる位置まで延びていてもよい。この乳児用枕では、マチ部が、頭頂載置部から少なくとも枕本体の側面視において中央凹部の首載置部側の先端となる位置まで延びているため、マチ部により頭頂載置部及び一対の側壁部を高くすることで、乳児用枕をクッションに載置した際に、乳児をより楽な姿勢に保持することができる。
【００１１】
枕本体に接続されて、面ファスナーが取り付けられた係合ベルトを更に備えてもよい。この乳児用枕では、枕本体に、面ファスナーが取り付けられた係合ベルトが接続されているため、乳児用枕をクッションに載置した際に、係合ベルトの面ファスナーを当該面ファスナーと係合する任意の着用面に係合させることで、乳児用枕が着用面から係合ベルトの長さ以上に落下するのを防止することができる。例えば、クッション上で乳児の向きを変える場合等は、乳児や授乳者等が乳児用枕に当たってクッションから落下することがある。このような場合であっても、係合ベルトにより、乳児用枕が床まで落下するのを抑制することができるため、乳児用枕を拾う手間を簡略化することができる。
【００１２】
また、面ファスナーが係合ベルトに取り付けられているため、枕本体から離れた場所に、面ファスナーを係合させることができる。これにより、面ファスナーの係合解除の音を、乳児に聞こえにくくすることができる。
【００１３】
第二生地に、面ファスナーが係合する着用面が形成されていてもよい。この乳児用枕では、下面側に配置される第二生地に、面ファスナーが係合する着用面が形成されているため、面ファスナーを当該着用面に係合させることで、乳児が載置されない下面側において、係合ベルトをループ状に形成することができる。このため、例えば、係合ベルトのループに手を入れる等することで、乳児用枕を容易に保持することができる。
【００１４】
本考案に係る乳児用枕セットは、クッションと、クッションに載置される上記の何れかの乳児用枕と、を備える。この乳児用枕セットでは、上記の乳児用枕を備えるため、乳児用枕をクッションに載置しても、乳児の頭を持ち上げることができるため、乳児を楽な姿勢に保持することができる。
【００１５】
クッションは、Ｃ字状の授乳クッションであってもよい。この乳児用枕セットでは、クッションがＣ字状の授乳クッションであるため、乳児に授乳する際に、乳児を楽な姿勢に保持することができる。
【００１６】
乳児用枕は、枕本体に接続されて、面ファスナーが取り付けられた係合ベルトを有し、クッションは、上面側に配置される第一クッション生地、及び下面側に配置される第二クッション生地を有するクッション袋部と、クッション袋部に詰められたクッション詰物と、を有し、第二クッション生地に、面ファスナーが係合する着用面が形成されていてもよい。この乳児用枕セットでは、クッションの下面側に配置される第二クッション生地に、面ファスナーが係合する着用面が形成されているため、枕本体から離れた場所において、面ファスナーをクッションに係合させることができる。これにより、面ファスナーの係合解除の音を、乳児に聞こえにくくすることができる。
【考案の効果】
【００１７】
本考案によれば、乳児を楽な態勢に保持することができる。
【図面の簡単な説明】
【００１８】
【図１】実施形態の乳児用枕の斜視図である。
【図２】実施形態の乳児用枕の正面図である。
【図３】実施形態の乳児用枕の背面図である。
【図４】実施形態の乳児用枕の側面図である。
【図５】図２におけるＶ−Ｖ線における断面図である。
【図６】実施形態の乳児用枕の型紙を示す図である。
【図７】係合ベルトを第二生地に傾倒させた状態を示す図である。
【図８】実施形態の乳児用枕セットの斜視図である。
【図９】図８におけるＩＸ−ＩＸ線における断面図である。
【図１０】乳児用枕セットに乳児を載置した状態を示す図である。
【考案を実施するための形態】
【００１９】
以下、図面を参照して、本考案に係る乳児用枕及び乳児用枕セットの好適な実施形態について詳細に説明する。なお、図面中の同一又は相当部分には同一符号を付すこととする。
【００２０】
まず、実施形態に係る乳児用枕について説明する。図１〜図５に示すように、本実施形態の乳児用枕１は、クッションに載置する乳児用の枕である。乳児用枕１は、例えば、乳児に授乳する際に、授乳用クッションに載置して用いるものである。乳児用枕１は、枕本体２と、係合ベルト３と、を備える。
【００２１】
枕本体２は、乳児の頭を載置する部位である。枕本体２は、中央凹部４と、首載置部５と、頭頂載置部６と、一対の側壁部７，７と、を備える。枕本体２では、首載置部５、頭頂載置部６、及び一対の側壁部７，７がドーナツ状（環状）に形成されており、その内周側に、中央凹部４が配置されている。
【００２２】
中央凹部４は、乳児の頭部が配置される部位である。中央凹部４は、乳児の頭を適度に入り込ませるために、ドーナツ状に形成された首載置部５、頭頂載置部６、及び一対の側壁部７，７に対して低くなっている。中央凹部４は、例えば、ドーナツ状に形成された首載置部５、頭頂載置部６、及び一対の側壁部７，７の内周側において窪んだ有底の凹部であってもよく、ドーナツ状に形成された首載置部５、頭頂載置部６、及び一対の側壁部７，７の内周側において枕本体２を貫通する貫通口であってもよい。
【００２３】
首載置部５は、乳児の首を載置するための部位である。首載置部５は、中央凹部４に隣接している。首載置部５の高さＤ１（図５における上下方向の寸法）は、乳児の首の高さに対応した高さとなっており、例えば、３ｃｍである。なお、首載置部５の高さは、首載置部５の最大高さである。首載置部５の長さＤ２（図２における左右方向の寸法）は、乳児の首の長さに対応した長さとなっており、例えば、３ｃｍである。首載置部５の長さは、首載置部５の最小長さである。首載置部５の幅Ｄ３（図２における上下方向の寸法）は、中央凹部４の幅と略同じ幅となっており、例えば、９．５ｃｍである。首載置部５の幅は、首載置部５の最大幅である。
【００２４】
頭頂載置部６は、乳児の頭頂部を載置するための部位である。頭頂載置部６は、中央凹部４の首載置部５とは反対側に隣接している。つまり、中央凹部４の首載置部５とは反対側における、枕本体２の幅方向（図２における上下方向）全域が、頭頂載置部６となる。頭頂載置部６は、乳児の頭頂部を適切に支持するために、中央凹部４から、首載置部５とは反対側に向かうに従い徐々に高くなっている。頭頂載置部６の高さＤ４（図５における上下方向の寸法）は、首載置部５の高さＤ１よりも高くなっており、例えば、７ｃｍである。なお、頭頂載置部６の高さは、頭頂載置部６の最大高さである。
【００２５】
一対の側壁部７，７は、乳児の頭を左右から支持するための部位である。一対の側壁部７，７は、中央凹部４の両側に隣接している。また、一対の側壁部７，７は、首載置部５の両側に隣接している。このため、中央凹部４及び首載置部５の両側全域が、一対の側壁部７，７となる。一対の側壁部７，７の首載置部５を挟む部分の高さＤ５（図５における上下方向の寸法）は、首載置部５の高さＤ１よりも高くなっており、例えば、４ｃｍである。一対の側壁部７，７の首載置部５を挟む部分の高さは、一対の側壁部７，７の首載置部５を挟む部分の最大高さである。一対の側壁部７，７の幅Ｄ６（図２における上下方向の寸法）は、首載置部５の幅Ｄ３よりも広くなっており、例えば、２４ｃｍである。一対の側壁部７，７の幅は、一対の側壁部７，７の最大幅である。一対の側壁部７，７は、乳児の頭部を左右方向から適切に支持するために、中央凹部４から、左右方向に離れて行くに従い徐々に高くなっている。また、一対の側壁部７，７は、首載置部５側から頭頂載置部６側に向けて徐々に高くなっている。一対の側壁部７，７の高さは、首載置部５側から頭頂載置部６側に向かう稜線の高さである。
【００２６】
係合ベルト３は、枕本体２に接続されて、乳児用枕１を、係合ベルト３が係合される任意の着用面に係合させるための部位である。係合ベルト３は、細長いベルト状に形成されたベルト部１１と、ベルト部１１の端部に取り付けられたワッペン状のアクセサリー部１２と、アクセサリー部１２に取り付けられた面ファスナー１３と、を有する。面ファスナー１３は、係合素子が形成された係合面を有し、フレンチパイル、トリコット等の織布又は不織布により形成される着用面に対し、面ファスナー１３の係合力により着脱可能に係合される。面ファスナー１３は、例えば、アクセサリー部１２の表裏面の内、係合ベルト３を枕本体２から真っ直ぐに伸ばした際に、枕本体２の下面側と同じ側となる面（裏面）に取り付けられる。
【００２７】
図１〜図６に示すように、枕本体２は、第一生地１４、第二生地１５、及びマチ部１６を有する袋部１７と、袋部１７に詰められる詰物１８と、を有する。
【００２８】
第一生地１４は、枕本体２の上面側に配置される生地である。枕本体２の上面側は、乳児が載置される側である。第一生地１４としては、例えば、柔らかく触り心地の良い生地が用いられる。なお、枕本体２の形状は、袋部１７に詰物１８をどのように詰めるのかによって変わるが、枕本体２の表側から見て（図２の平面視において）、第一生地１４は、枕本体２と略同じ形状を成している。
【００２９】
第二生地１５は、枕本体２の下面側に配置される生地である。枕本体２の下面側は、枕本体２の上面側の反対側であって、乳児が載置される側とは反対側である。なお、枕本体２の形状は、袋部１７に詰物１８をどのように詰めるのかによって変わるが、枕本体２の裏側から見て（図３の背面視において）、第二生地１５は、枕本体２と略同じ形状を成している。第二生地１５には、係合ベルト３の面ファスナー１３が係合される着用面８が形成されている。具体的には、第二生地１５に、面ファスナー１３が係合する係合生地が取り付けられることで、当該係合生地に着用面８が形成されていてもよい。また、第二生地１５が、面ファスナー１３が係合する係合生地により形成されることで、この係合生地に着用面８が形成されていてもよい。係合生地としては、例えば、フレンチパイル、トリコット等が用いられる。このため、図７に示すように、係合ベルト３の面ファスナー１３を第二生地１５の係合生地に係合させることで、乳児用枕１の下面側において、係合ベルト３をループ状に形成することができる。
【００３０】
マチ部１６は、第一生地１４と第二生地１５との間のマチとして機能する生地である。マチ部１６は、頭頂載置部６及び一対の側壁部７，７の外周側において、第一生地１４と第二生地１５との間に配置される。マチ部１６は、頭頂載置部６を基点として、頭頂載置部６から一対の側壁部７，７に延びている。一対の側壁部７，７に設けられるマチ部１６は、首載置部５側から頭頂載置部６側に向けて幅広されている。そして、頭頂載置部６において、マチ部１６の幅が最大となっている。頭頂載置部６では、マチ部１６の幅は同じであってもよく、頭頂載置部６の中央に向けて拡幅されていてもよい。
【００３１】
マチ部１６は、頭頂載置部６から、少なくとも、枕本体２の側面視において、中央凹部４の首載置部５側の先端となる位置Ａまで延びていてもよい（図４参照）。また、マチ部１６は、頭頂載置部６から、少なくとも、枕本体２の側面視において、一対の側壁部７，７の頭頂載置部６とは反対側の先端Ｂまで延びていてもよい（図４参照）。一対の側壁部７，７の頭頂載置部６とは反対側の先端Ｂは、一対の側壁部７，７の中央凹部４に対する首載置部５側の先端でもある。また、マチ部１６は、頭頂載置部６から、一対の側壁部７，７の首載置部５側の先端Ｃまで延びていてもよい（図２参照）。
【００３２】
袋部１７は、第一生地１４と、第二生地１５と、マチ部１６と、が縫製されてなる。つまり、第一生地１４とマチ部１６とが縫製され、第二生地１５とマチ部１６とが縫製され、マチ部のないところは、第一生地１４と第二生地１５とが縫製されている。係合ベルト３のベルト部１１は、頭頂載置部６において、第二生地１５とマチ部１６とに挟まれて縫製されている。
【００３３】
詰物１８は、袋部１７に詰められる緩衝材である。詰物１８を構成する緩衝材としては、例えば、綿、ビーズ、ウレタン等が用いられる。なお、袋部１７に詰物１８を詰めることで、枕本体２の外周側が丸く膨らむが、第一生地１４と第二生地１５との間にマチ部１６を配置することで、頭頂載置部６及び一対の側壁部７，７の形状は、概ね上述したようになる。
【００３４】
次に、実施形態に係る乳児用枕セットについて説明する。図８〜図１０に示すように、本実施形態に係る乳児用枕セット３０は、クッション２０と、クッション２０に載置される乳児用枕１と、を備える。乳児用枕１は、上述したものである。
【００３５】
クッション２０は、乳児に授乳する際に用いるＣ字状の授乳クッションである。但し、クッション２０は、特に限定されるものではなく、例えば、バナナ状のボディーピロー等であってもよい。クッション２０は、クッション本体２１と、一対の紐部２２，２２と、を備える。
【００３６】
クッション本体２１は、乳児を載置するための部位である。クッション本体２１は、第一クッション生地２５、及び第二クッション生地２６を有するクッション袋部２７と、クッション袋部２７に詰められるクッション詰物２８と、を有する。
【００３７】
第一クッション生地２５は、クッション本体２１の上面側に配置される生地である。クッション本体２１の上面側は、乳児用枕１が載置される側である。第一クッション生地２５としては、例えば、柔らかく触り心地の良い生地が用いられる。
【００３８】
第二クッション生地２６は、クッション本体２１の下面側に配置される生地である。クッション本体２１の下面側は、クッション本体２１の上面側の反対側であって、乳児用枕１が載置される側とは反対側である。第二クッション生地２６には、係合ベルト３の面ファスナー１３が係合される着用面２９が形成されている。具体的には、第二クッション生地２６に、面ファスナー１３が係合する係合生地が取り付けられることで、当該係合生地に着用面２９が形成されていてもよい。また、第二クッション生地２６が、面ファスナー１３が係合する係合生地により形成されることで、当該係合生地に着用面２９が形成されていてもよい。係合生地としては、例えば、フレンチパイル、トリコット等が用いられる。なお、クッション２０の係合生地と乳児用枕１の係合生地とは、同じであってもよく、異なっていてもよい。
【００３９】
一対の紐部２２，２２は、クッション２０を授乳者に固定するための紐状の部位である。一対の紐部２２，２２は、Ｃ字状に形成されたクッション本体２１の両端部に接続されている。一対の紐部２２，２２は、クッション本体２１の両端部において、第一クッション生地２５と第二クッション生地２６とに挟まれて縫製されている。
【００４０】
このように、本実施形態では、乳児の頭を中央凹部４に配置すると、乳児の首が首載置部５上に配置され、乳児の頭頂部が頭頂載置部６上に配置され、乳児の頭が一対の側壁部７，７により左右から支持される。そして、頭頂載置部６が首載置部５よりも高くなっており、一対の側壁部７，７が首載置部５側から頭頂載置部６側に向けて高くなっている。これにより、乳児の頭を持ち上げることができるため、乳児を楽な姿勢に保持することができる。
【００４１】
ここで、クッション２０は断面円形であるため、乳児用枕１の載置面となるクッション２０の上面が、外周端に向かうほど低くなる。しかしながら、詰物１８が詰められる枕本体２の袋部１７は、頭頂載置部６及び一対の側壁部７，７の外周側において第一生地１４と第二生地１５との間に配置されるマチ部１６を有するため、このようなマチ部１６がない場合に比べて、頭頂載置部６及び一対の側壁部７，７を格段に高くすることができる。これにより、乳児用枕１をクッション２０に載置しても、乳児の頭を持ち上げることができるため、乳児を楽な姿勢に保持することができる。
【００４２】
また、一対の側壁部７，７に設けられるマチ部１６が首載置部５側から頭頂載置部６側に向けて拡幅されているため、容易に、頭頂載置部６を首載置部５よりも高くすることができるとともに、一対の側壁部７，７を首載置部５側から頭頂載置部６側に向けて高くすることができる。
【００４３】
また、マチ部１６が、頭頂載置部６から少なくとも枕本体２の側面視において中央凹部４の首載置部５側の先端となる位置Ａまで延びている場合は、マチ部１６により頭頂載置部６及び一対の側壁部７，７を高くすることで、乳児用枕１をクッション２０に載置した際に、乳児をより楽な姿勢に保持することができる。この場合、マチ部１６が、頭頂載置部６から少なくとも枕本体２の側面視において一対の側壁部７，７の頭頂載置部６とは反対側の先端Ｂまで延びていると、更には、マチ部１６が、頭頂載置部６から、一対の側壁部７，７の首載置部５側の先端Ｃまで延びていると、更に頭頂載置部６及び一対の側壁部７，７を高くすることができる。
【００４４】
また、枕本体２に、面ファスナー１３が取り付けられた係合ベルト３が接続されているため、乳児用枕１をクッション２０に載置した際に、係合ベルト３の面ファスナー１３を任意の着用面に係合させることで、乳児用枕１がクッション２０から係合ベルト３の長さ以上に落下するのを防止することができる。例えば、クッション２０上で乳児の向きを変える場合等は、乳児用枕１が乳児や授乳者等に当たってクッション２０から落下することがある。このような場合であっても、係合ベルト３により、乳児用枕１が床まで落下するのを抑制することができるため、乳児用枕１を拾う手間を簡略化することができる。
【００４５】
また、面ファスナー１３が係合ベルト３に取り付けられているため、枕本体２から離れた場所に、面ファスナー１３を係合させることができる。これにより、面ファスナー１３の係合解除の音を、乳児に聞こえにくくすることができる。
【００４６】
また、下面側に配置される第二生地１５に、面ファスナー１３が係合する着用面８が形成されているため、面ファスナー１３を当該着用面８に係合させることで、乳児が載置されない下面側において、係合ベルト３をループ状に形成することができる。このため、例えば、係合ベルト３のループに手を入れる等することで、乳児用枕１を容易に保持することができる。
【００４７】
また、クッション２０がＣ字状の授乳クッションである場合は、乳児に授乳する際に、乳児を楽な姿勢に保持することができる。
【００４８】
また、クッション２０の下面側に配置される第二クッション生地２６に、面ファスナー１３が係合する着用面２９が形成されているため、枕本体２から離れた場所において、面ファスナー１３をクッション２０に係合させることができる。これにより、面ファスナー１３の係合解除の音を、乳児に聞こえにくくすることができる。
【００４９】
以上、本考案の好適な実施形態について説明したが、本考案は上記実施形態に限定されるものではない。例えば、上記実施形態では、乳児用枕は係合ベルトを備えるものとして説明したが、このような係合ベルトを備えなくてもよい。また、上記実施形態では、クッションは一対の紐部を備えるものとして説明したが、このような一対の紐部を備えなくてもよい。
【符号の説明】
【００５０】
１…乳児用枕、２…枕本体、３…係合ベルト、４…中央凹部、５…首載置部、６…頭頂載置部、７…側壁部、８…着用面、１１…ベルト部、１２…アクセサリー部、１３…面ファスナー、１４…第一生地、１５…第二生地、１６…マチ部、１７…袋部、１８…詰物、２０…クッション、２１…クッション本体、２２…紐部、２５…第一クッション生地、２６…第二クッション生地、２７…クッション袋部、２８…クッション詰物、２９…着用面、３０…乳児用枕セット。
【図１】
0003218424.tif 000003
【図２】
0003218424.tif 000004
【図３】
0003218424.tif 000005
【図４】
0003218424.tif 000006
【図５】
0003218424.tif 000007
【図６】
0003218424.tif 000008
【図７】
0003218424.tif 000009
【図８】
0003218424.tif 000010
【図９】
0003218424.tif 000011
【図１０】
0003218424.tif 000012